(57)【要約】      （修正有）【課題】ラーメン等のスープの多いテイクアウト食品を収容して持ち運んでいるときでも中容器（中皿）外へのスープの飛び出しを防止することができ、かつ、茹麺等が収容された容器本体内に中容器内のスープを注ぐ際にスープが外部に飛び散って食卓等を汚してしまうことを防止することができる食品収容容器を提供する。【解決手段】食品収容容器は、上端開口の容器本体２と、容器本体２に組み合わされる上端開口の中容器３と、容器本体２の上端開口部に着脱自在に取り付けられる外蓋と、を備えている。中容器３は、中容器３の上端開口部に着脱自在に取り付けられる中蓋５を備えている。そして、中蓋５の上面周縁部には排出口５ａが設けられており、中容器３に中蓋５を取り付けた状態で、中容器３の内容物の少なくとも一部（例えば、スープのみ）を排出することができるようになっている。【選択図】図７
0003202018.tif 000002
【実用新案登録請求の範囲】
【請求項１】
上端開口の容器本体と、当該容器本体に組み合わされる上端開口の中容器と、前記容器本体の上端開口部に着脱自在に取り付けられる外蓋と、を備えた食品収容容器であって、
前記中容器は、当該中容器の上端開口部に着脱自在に取り付けられる中蓋を備え、
前記中蓋の上面周縁部には、前記中容器の内容物の少なくとも一部を排出する排出口が設けられていることを特徴とする食品収容容器。
【請求項２】
前記外蓋及び中蓋は、前記外蓋が前記容器本体の上端開口部に取り付けられたときに、前記中蓋の前記排出口が前記外蓋の裏面によって閉塞された状態となるように構成されている、請求項１に記載の食品収容容器。
【請求項３】
前記排出口には、当該排出口を開閉する開閉部材が設けられている、請求項１に記載の食品収容容器。
【考案の詳細な説明】
【技術分野】
【０００１】
本考案は、食品収容容器に関する。さらに詳細には、本考案は、主として、例えばラーメン、チャンポン、うどん、餡かけ固焼きそば、牛丼等のテイクアウト食品を収容して持ち帰るために使用される食品収容容器に関する。
【背景技術】
【０００２】
従来、この種の食品収容容器としては、例えば、特許文献１等に開示されたものが知られている。  特許文献１に開示された食品収容容器は、ご飯等が収容される上端開口の容器本体と、当該容器本体に組み合わされ、具やつゆ等が収容される上端開口の中皿（中容器）と、前記容器本体の上端開口部に着脱自在に取り付けられる蓋と、を備え、前記中皿の底面が、中央部に凹部を有し、前記底面の縁から当該凹部に向けて低くなるように傾斜し、前記底面の一方の縁端から対向する他方の縁端に向かう線上に、対向する各縁端から前記凹部に向けて傾斜に沿って対向溝が形成されていることを特徴としている（特許文献１の図１参照）。  そして、特許文献１に開示された食品収容容器の構成によれば、ご飯等が収容された容器本体に、具やつゆ等が収容された中皿を組み合わせ、当該中皿を組み合わせた前記容器本体の上端開口部に蓋を取り付けた状態で持ち帰ることができる。この場合、前記中皿に具やつゆ等が収容された状態では、傾斜によって具やつゆ等が前記中皿の中央部に集まるが、その際、つゆは凹部に溜まり、具はつゆが溜まった前記凹部を覆うことになる。その結果、具が前記凹部に溜まったつゆの蓋の役割を果たすこととなるので、テイクアウト食品を収容して持ち帰っているときの前記中皿外へのつゆの飛び出しを防止することができる（効果１）。また、具やつゆ等をご飯等にかける際に、前記中皿に力を加えて折り曲げると、当該中皿が対向溝を境にＶ字状になる。その結果、つゆが前記対向溝を伝わってご飯等の上にかけられることとなるので、ご飯等に具やつゆ等をかけ易くなる（効果２）。
【先行技術文献】
【特許文献】
【０００３】
【特許文献１】特開平０７−３１５４４７号公報
【考案の概要】
【考案が解決しようとする課題】
【０００４】
しかし、特許文献１に開示された食品収容容器は、テイクアウト食品が牛丼等の丼物であれば、上記の効果１を効果的に発揮することができるが、テイクアウト食品がつゆ（スープ）の多いラーメンやうどん等である場合には、上記の効果１を効果的に発揮することができない。
また、特許文献１に開示された食品収容容器は、上記の効果２を発揮することはできるが、テイクアウト食品がつゆ（スープ）の多いラーメンやうどん等である場合には、茹麺等が収容された容器本体内に中皿（中容器）内のつゆ（スープ）を注ぐ際に当該つゆ（スープ）が外部に飛び散って食卓等を汚してしまう虞がある。
【０００５】
本考案は、従来技術における前記課題を解決するためになされたものであり、テイクアウト食品等を収容して持ち運ぶために使用される食品収容容器であって、ラーメンやうどん等のつゆ（スープ）の多いテイクアウト食品等を収容して持ち運んでいるときでも中容器（中皿）外へのつゆ（スープ）の飛び出しを防止することができ、かつ、茹麺等が収容された容器本体内に中容器内のつゆ（スープ）を注ぐ際に当該つゆ（スープ）が外部に飛び散って食卓等を汚してしまうことを防止することができる食品収容容器を提供することを目的とする。
【課題を解決するための手段】
【０００６】
前記目的を達成するため、本考案に係る食品収容容器の構成は、
（１）上端開口の容器本体と、当該容器本体に組み合わされる上端開口の中容器と、前記容器本体の上端開口部に着脱自在に取り付けられる外蓋と、を備えた食品収容容器であって、
前記中容器は、当該中容器の上端開口部に着脱自在に取り付けられる中蓋を備え、
前記中蓋の上面周縁部には、前記中容器の内容物の少なくとも一部を排出する排出口が設けられていることを特徴とする。
【０００７】
本考案の食品収容容器は、主として、例えばラーメン、チャンポン、うどん、餡かけ固焼きそば、牛丼等のテイクアウト食品を収容して持ち帰るために使用されるが、かかる用途に限定されるものではない。本考案の食品収容容器は、例えば、上記の食品を出前するときに使用することもできる。その際、容器本体には、ご飯類、茹麺、固麺などが収容され、中容器には、具やつゆ、スープ、野菜餡などが収容される。
【０００８】
本考案の食品収容容器の上記（１）の構成によれば、中容器が、当該中容器の上端開口部に着脱自在に取り付けられる中蓋を備えていることにより、ラーメンやうどん等のつゆ（スープ）の多いテイクアウト食品等を収容して持ち運んでいるときでも中容器外へのつゆ（スープ）の飛び出しを防止することができる。また、前記中蓋の上面周縁部に前記中容器の内容物の少なくとも一部を排出する排出口が設けられていることにより、前記中容器に前記中蓋を取り付けた状態で、茹麺等が収容された容器本体内に前記中容器内のつゆ（スープ）を注ぐことができるので、前記容器本体内につゆ（スープ）を注ぐ際に当該つゆ（スープ）が外部に飛び散って食卓等を汚してしまうことを防止することができる。
【０００９】
本考案の食品収容容器の上記（１）の構成においては、以下の（２），（３）のような構成にすることが好ましい。
【００１０】
（２）前記外蓋及び中蓋は、前記外蓋が前記容器本体の上端開口部に取り付けられたときに、前記中蓋の前記排出口が前記外蓋の裏面によって閉塞された状態となるように構成されている。
【００１１】
上記（２）の好ましい構成によれば、外蓋を容器本体の上端開口部に取り付けることにより、中容器を密閉状態にすることができるので、ラーメンやうどん等のつゆ（スープ）の多いテイクアウト食品等を収容して持ち運んでいるときの、前記中容器外へのつゆ（スープ）の飛び出しを完全に防止することができる。
【００１２】
（３）前記排出口には、当該排出口を開閉する開閉部材が設けられている。
当該開閉部材は、例えば、中蓋の上面周縁部にＵ字状やＶ字状等の切込みを入れることにより、排出口と一緒に形成することができる。
【００１３】
上記（３）の好ましい構成によれば、開閉部材によって中蓋の排出口を閉じておくことにより、中容器をほぼ密閉状態にすることができるので、ラーメンやうどん等のつゆ（スープ）の多いテイクアウト食品等を収容して持ち運んでいるときの、前記中容器外へのつゆ（スープ）の飛び出しをほぼ完全に防止することができる。その結果、外蓋が容器本体の上端開口部に取り付けられたときに、前記中蓋の前記排出口が前記外蓋の裏面によって閉塞された状態となるようにする必要はないので、前記中蓋と前記外蓋の設計の自由度を大きくすることができる。
【考案の効果】
【００１４】
本考案によれば、テイクアウト食品等を収容して持ち運ぶために使用される食品収容容器であって、ラーメンやうどん等のつゆ（スープ）の多いテイクアウト食品等を収容して持ち運んでいるときでも中容器（中皿）外へのつゆ（スープ）の飛び出しを防止することができ、かつ、茹麺等が収容された容器本体内に中容器内のつゆ（スープ）を注ぐ際に当該つゆ（スープ）が外部に飛び散って食卓等を汚してしまうことを防止することができる食品収容容器を提供することができる。
【図面の簡単な説明】
【００１５】
【図１】図１は本考案の一実施の形態における食品収容容器の構成を示す分解斜視図である。
【図２】図２は本考案の一実施の形態における食品収容容器の構成を示す分解縦断面図である。
【図３】図３は本考案の一実施の形態における食品収容容器の使用状態を示す縦断面図である。
【図４】図４は本考案の一実施の形態における食品収容容器を積み重ねた状態を示す縦断面図である。
【図５】図５は本考案の一実施の形態における食品収容容器の中容器の他の構成を示す斜視図である。
【図６】図６は図５に示す中容器を備えた食品収容容器における、容器本体からの中容器の取外し方法を示す縦断面図である。
【図７】図７は本考案の一実施の形態における食品収容容器の使用方法を示す斜視図である。
【図８】図８は本考案の一実施の形態における食品収容容器の中蓋の他の構成を示す斜視図である。
【考案を実施するための形態】
【００１６】
以下、好適な実施の形態を用いて本考案をさらに具体的に説明する。但し、下記の実施の形態は本考案を具現化した例に過ぎず、本考案はこれに限定されるものではない。
【００１７】
［食品収容容器の構成］
まず、本考案の一実施の形態における食品収容容器の構成について、図１〜図３を参照しながら説明する。
【００１８】
図１は本考案の一実施の形態における食品収容容器の構成を示す分解斜視図、図２は当該食品収容容器の構成を示す分解縦断面図、図３は当該食品収容容器の使用状態を示す縦断面図である。
【００１９】
図１〜図３に示すように、本実施の形態における食品収容容器１は、上端開口の容器本体２と、当該容器本体２に組み合わされる上端開口の中容器３と、容器本体２の上端開口部に着脱自在に取り付けられる外蓋４と、を備えている。ここで、容器本体２には、ご飯類、茹麺、固麺などが収容され、中容器３には、具やつゆ、スープ、野菜餡などが収容される。
【００２０】
容器本体２は、発泡ポリスチレン（ＰＳＰ）等の樹脂材料からなるプラスチックシートを真空成型することによってカップ状に形成されており、その上端開口部の周縁には円環状のフランジ２ａが一体的に形成されている。また、容器本体２は、下方に行くほど漸次径小となるテーパ状に形成されており、当該容器本体２の底面の中央部には、内側に凸の円筒状の凹部２ｂが設けられている。容器本体２の上端面の直径は約２０５ｍｍ、高さは約９７．５ｍｍである。
中容器３は、ポリプロピレン（ＰＰ）等の樹脂材料からなるプラスチックシートを真空成型することによって円形の皿状に形成されており、その上端開口部の周縁には円環状のフランジ３ａが一体的に形成されている。中容器３の上端面の直径は約２００ｍｍ、高さは約４１ｍｍである。そして、中容器３は、容器本体２の上端開口部に挿入して、フランジ３ａを容器本体２のフランジ２ａに係止保持させることにより、容器本体２に組み合わされる。
外蓋４は、二軸延伸ポリスチレン（ＯＰＳ）等の樹脂材料からなるプラスチックシートを圧空成型することによって形成されており、その外周縁には蓋嵌合部４ａが設けられている。外蓋４の上端面の直径は約２０８ｍｍ、高さは約２０ｍｍである。そして、外蓋４を容器本体２の上端開口部に取り付けたときに、外蓋４の蓋嵌合部４ａと容器本体２のフランジ２ａとが互いにやや強制的に密接して嵌り合うようになっている。
【００２１】
本実施の形態の食品収容容器１において、中容器３は、当該中容器３の上端開口部に着脱自在に取り付けられる中蓋５を備えている。そして、中蓋５には、上面周縁部に３つ一組の三角形状の排出口５ａが設けられており、これにより、中容器３に中蓋５を取り付けた状態で、中容器３の内容物の少なくとも一部を排出口５ａから排出することができるようになっている（図４参照）。また、中蓋５には、上面周縁部の、排出口５ａとの対向位置に３つ一組の小円形の吸気口５ｂが設けられている。
中蓋５は、二軸延伸ポリスチレン（ＯＰＳ）等の樹脂材料からなるプラスチックシートを圧空成型することによって形成されており、その外周縁には円環状のフランジ５ｃが一体的に形成されている。また、中蓋５の裏面側には、フランジ５ｃよりも内側に位置して円環状の凸条５ｄが設けられている。そして、中蓋５は、円環状の凸条５ｄを中容器３の上端開口内周縁部に挿入して、フランジ５ｃを中容器３のフランジ３ａに係止保持させることにより、中容器３の上端開口部に着脱自在に取り付けられる。この場合、中蓋５の円環状の凸条５ｄと中容器３の上端開口内周縁部とは互いにやや強制的に密接して嵌り合うようになっている。
【００２２】
本実施の形態の食品収容容器１の構成によれば、上記のように、中容器３が、当該中容器３の上端開口部に着脱自在に取り付けられる中蓋５を備えていることにより、ラーメンやうどん等のつゆ（スープ）の多いテイクアウト食品を収容して持ち帰る途中で食品収容容器１を傾けたり振動を与えたりしても、中容器３外へつゆ（スープ）が飛び出すことはない。すなわち、ラーメンやうどん等のつゆ（スープ）の多いテイクアウト食品を収容して持ち運んでいるときでも中容器外へのつゆ（スープ）の飛び出しを防止することができる。また、中蓋５の上面周縁部に中容器３の内容物の少なくとも一部を排出する排出口５ａが設けられていることにより、中容器３に中蓋５を取り付けた状態で、茹麺等が収容された容器本体２内に中容器３内のつゆ（スープ）を注ぐことができるので、容器本体２内につゆ（スープ）を注ぐ際に当該つゆ（スープ）が外部に飛び散って食卓等を汚してしまうことを防止することができる。
【００２３】
中蓋５の上面の、排出口５ａが設けられている部分と吸気口５ｂが設けられている部分は、他の部分よりも一段高い平面状に形成されている。一方、外蓋４の周縁部には、裏面側に凸の円環状の凹条４ｃが設けられている。ここで、凹条４ｃの裏面は平面状に形成されている。そして、これにより、外蓋４が容器本体２の上端開口部に取り付けられたときに、中蓋５の排出口５ａと吸気口５ｂが外蓋４の裏面によって閉塞された状態となるようにされている。
かかる構成によれば、外蓋４を容器本体２の上端開口部に取り付けることにより、中容器３を密閉状態にすることができるので、ラーメンやうどん等のつゆ（スープ）の多いテイクアウト食品を収容して持ち運んでいるときの、中容器３外へのつゆ（スープ）の飛び出しを完全に防止することができる。
【００２４】
以上のことから、本実施の形態の食品収容容器１は、つゆ（スープ）の多いラーメンやうどん等のテイクアウト食品を収容して持ち帰るために使用される食品収容容器として好適であることが分かる。
【００２５】
尚、外蓋４の上面の中央部分には、円環状の凹条４ｃに囲まれた状態で低背円筒状の凸部４ｄが設けられており、当該凸部４ｄの上面中央には、Ｕ字状の切込みを入れることによって蒸気抜き孔４ｂが形成されている。ここで、凸部４ｄは、容器本体２の底面の凹部２ｂにちょうど嵌り込む大きさとなっている。
【００２６】
［食品収容容器の使用方法］
次に、本考案の一実施の形態における食品収容容器の使用方法について、図４〜図７をも参照しながら説明する。尚、ここでは、テイクアウト食品がラーメンである場合を例に挙げて説明する。
【００２７】
図４は本考案の一実施の形態における食品収容容器を積み重ねた状態を示す縦断面図、図５は当該食品収容容器の中容器の他の構成を示す斜視図、図６は図５に示す中容器を備えた食品収容容器における、容器本体からの中容器の取外し方法を示す縦断面図、図７は本考案の一実施の形態における食品収容容器の使用方法を示す斜視図である。
【００２８】
まず、容器本体２に、茹麺６、及び、チャーシュー、味付け玉子、メンマ、刻み葱等の具７を収容する。また、中容器３にラーメンスープ８を収容する。次いで、中蓋５の裏面側の円環状の凸条５ｄを中容器３の上端開口内周縁部に挿入して、中蓋５のフランジ５ｃを中容器３のフランジ３ａに係止保持させることにより、中容器３の上端開口部に中蓋５を取り付ける。次いで、中容器３を容器本体２の上端開口部に挿入して、中容器３のフランジ３ａを容器本体２のフランジ２ａに係止保持させることにより、中蓋５が取り付けられた状態の中容器３を容器本体２に組み合わせる。最後に、外蓋４を容器本体２の上端開口部に取り付けて、中蓋５の排出口５ａと吸気口５ｂを外蓋４の裏面によって閉塞する。これにより、テイクアウト可能な状態となる（以上、図３参照）。
【００２９】
この状態で食品収容容器１を持ち帰れば、途中で当該食品収容容器１を傾けたり当該食品収容容器１に振動を与えたりしても、中容器３外へラーメンスープ８が飛び出すことはない。
【００３０】
尚、図４に示すように、容器本体２の底面の凹部２ｂに外蓋４の上面の凸部４ｄを入れ込んだ状態で、複数の食品収容容器１を積み重ねれば、複数の食品収容容器１を安定した状態でまとめて持ち帰ることができる。
【００３１】
食品収容容器１を持ち帰った後は、当該食品収容容器１を食卓等の上に載せて、まず、容器本体２の上端開口部から外蓋４を取り外す。次いで、中蓋５を取り付けたままの状態で、中容器３を容器本体２から取り外す。
この場合、図５に示すように、中容器３のフランジ３ａの相対向する２箇所に、親指と人差し指で掴める程度の大きさを有する可撓性のベロ部１０ａ，１０ｂを設けておけば、図６に示すように、ベロ部１０ａ，１０ｂを掴んで持ち上げることにより（矢印Ａ，Ｂ参照）、中蓋５を取り付けたままの状態中容器３を容器本体２から容易に取り外すことができる。また、ベロ部１０ａ，１０ｂに可撓性を持たせておけば、容器本体２の上端開口部に外蓋４を取り付けるときに当該ベロ部１０ａ，１０ｂが邪魔になることはない。
【００３２】
次いで、図７に示すように、茹麺６、及び、チャーシュー、味付け玉子、メンマ、刻み葱等の具７が収容された容器本体２の上方で、中容器３に中蓋５を取り付けた状態で、当該中容器３を排出口５ａが下となるように傾ける。これにより、中容器３に収容されたラーメンスープ８が排出口５ａから排出されて、容器本体２内に注がれる。そして、このように、中容器３に中蓋５を取り付けた状態で、茹麺６等が収容された容器本体２内に中容器３内のラーメンスープ８を注ぐことができるので、容器本体２内にラーメンスープ８を注ぐ際に当該ラーメンスープ８が外部に飛び散って食卓等を汚してしまうことはない。
【００３３】
尚、上記実施の形態においては、外蓋４及び中蓋５が、外蓋４を容器本体２の上端開口部に取り付けたときに、中蓋５の排出口５ａと吸気口５ｂが外蓋４の裏面によって閉塞された状態となるように構成されている場合を例に挙げて説明したが、本考案の食品収容容器は必ずしもこのような構成に限定されるものではない。中蓋５の排出口５ａだけが外蓋４の裏面によって閉塞される構成であってもよい。また、少なくとも中蓋５の排出口５ａを外蓋４の裏面によって閉塞するようにすることも任意である。さらに、吸気口５ｂも必須の構成要素ではない。すなわち、本考案の食品収容容器は、中容器が、当該中容器の上端開口部に着脱自在に取り付けられる中蓋を備え、当該中蓋の上面周縁部に前記中容器の内容物の少なくとも一部を排出する排出口が設けられていれば十分である。
【００３４】
また、上記実施の形態においては、中蓋５の上面周縁部に３つ一組の三角形状の排出口５ａが設けられている場合を例に挙げて説明したが、本考案の食品収容容器は必ずしもこのような構成に限定されるものではない。排出口は少なくとも１つ設けられていれば十分であり、排出口の形状と大きさも任意に設定することができる。
【００３５】
また、上記実施の形態においては、容器本体２がカップ状に形成されている場合を例に挙げて説明したが、本考案の食品収容容器は必ずしもこのような構成に限定されるものではない。容器本体は、例えば直方体状、逆四角錐台状等の他の形状であってもよい。そして、中容器、外蓋、中蓋の形状も、容器本体の形状に応じて変更され得る。
【００３６】
また、上記実施の形態においては、外蓋４の上面に蒸気抜き孔４ｂが形成されている場合を例に挙げて説明したが、本考案の食品収容容器は必ずしもこのような構成に限定されるものではない。例えば冷麺などのテイクアウト食品等を収容する場合には、外蓋に蒸気抜き孔を設ける必要はない。
【００３７】
また、上記実施の形態においては、外蓋４を容器本体２の上端開口部に取り付けたときに、外蓋４の蓋嵌合部４ａと容器本体２のフランジ２ａとが互いにやや強制的に密接して嵌り合うようになっている場合を例に挙げて説明したが、本考案の食品収容容器は必ずしもこのような構成に限定されるものではない。外蓋は容器本体の上端開口部に着脱自在に取り付けることができればよく、必ずしも嵌合状態で取り付けられる必要はない。
【００３８】
また、上記実施の形態においては、外蓋４が容器本体２の上端開口部に取り付けられたときに、中蓋５の排出口５ａが外蓋４の裏面によって閉塞された状態となるように構成されている場合を例に挙げて説明したが、本考案の食品収容容器は必ずしもこのような構成に限定されるものではない。例えば、排出口に、当該排出口を開閉する開閉部材が設けられた構成であってもよい。開閉部材（爪片）９は、例えば図８に示すように、中蓋５の上面周縁部にＵ字状やＶ字状等の切込み１０を入れることにより、排出口と一緒に形成することができる。そして、この場合、開閉部材（爪片）９を上方へ立てて起こすことによって形成される開口を排出口として用いることができる。
かかる構成によれば、開閉部材（爪片）９によって中蓋５の排出口を閉じておくことにより、中容器３をほぼ密閉状態にすることができるので、ラーメンやうどん等のつゆ（スープ）の多いテイクアウト食品等を収容して持ち運んでいるときの、中容器３外へのつゆ（スープ）の飛び出しをほぼ完全に防止することができる。その結果、外蓋４が容器本体２の上端開口部に取り付けられたときに、中蓋５の前記排出口が外蓋４の裏面によって閉塞された状態となるようにする必要はないので、中蓋と外蓋の設計の自由度を大きくすることができる。
【符号の説明】
【００３９】
１  食品収容容器
２  容器本体
２ａ，３ａ，５ｃ  フランジ
３  中容器
４  外蓋
４ａ  蓋嵌合部
４ｃ  円環状の凹条
５  中蓋
５ａ  排出口
５ｄ  円環状の凸条
９  開閉部材（爪片）
１０  切込み
【図１】
0003202018.tif 000003
【図２】
0003202018.tif 000004
【図３】
0003202018.tif 000005
【図４】
0003202018.tif 000006
【図５】
0003202018.tif 000007
【図６】
0003202018.tif 000008
【図７】
0003202018.tif 000009
【図８】
0003202018.tif 000010